(57)【要約】本発明は、インターネット１００と、眼鏡販売元（商品販売元）が利用する商品販売支援手段１０と、各々の眼鏡販売店（商品販売先）にて稼働する在庫管理手段３１１、３１２、・・・、３１ｎとで概略構成され、複数の販売店の登録を行い、二次元バーコードを含むバーコードやＯＣＲなど文字・記号読み取り技術を利用したＰＯＳを用い、インターネットを介して各々の販売店での商品在庫情報を監視し、必要な商品をまとめて発注することで効率よく商品のコストダウンを実現する商品の物流管理方法に関する技術を提供する点にある。
2002039333.tif 000002
【特許請求の範囲】
【請求項１】
ＰＯＳを利用した商品の物流管理方法であって、
卸売りなどを行う商品販売元の商品販売支援手段が、予め登録された商品販売先の在庫管理手段からインターネットなどのネットワークを介して商品の受注を受付ける第１のステップと、
前記受注に基づき、前記商品を前記商品販売先に発送する第２のステップとを備え、
前記第１のステップは、
全ての前記商品を前記ネットワークのサーバーに登録することで、全ての前記商品販売先に対して、前記商品の閲覧を促す第３のステップと、
前記商品の閲覧に基づく前記受注を受信する第４のステップとを含み、
前記第２のステップは、二次元バーコードを利用するＰＯＳを用いて、前記商品の入出庫管理と在庫管理とを行うステップを含む
ことを特徴とする商品の物流管理方法。
【請求項２】
前記第１のステップは、
前記在庫管理手段が備える前記ＰＯＳによる前記商品販売先における商品在庫の情報を受信する第５のステップと、
受信した前記商品在庫の情報に基づき、商品を発送する第６のステップとを含み、
該第６のステップは、前記商品毎に、前記商品販売先における前記商品在庫が、予め設定された適量であるかどうかを判断し、前記商品在庫が、適量より少量／以下の場合、該当する商品の発送を自動的に行う第７のステップとを含む
ことを特徴とする請求項１に記載の商品の物流管理方法。
【請求項３】
前記第７のステップは、前記商品の自動的な発送を、１日、１週間、１ヶ月など所定の期間で行うことを設定するステップを含むことを特徴とする請求項１又は２に記載の商品の物流管理方法。
【請求項４】
前記第５のステップは、全ての前記在庫管理手段からの受信した前記商品在庫の情報と商品販売元における商品在庫とに基づく商品毎の集計と、予め設定された商品毎の標準在庫とを比較し、前記商品の集計が前記標準在庫より少量／以下の場合、商品製造者を含む商品供給者に、該当する商品の発注を行うステップを含むことを特徴とする請求項１乃至３のいずれかに記載の商品の物流管理方法。
【請求項５】
前記ＰＯＳに二次元バーコード、三次元バーコードを含むバーコードやＯＣＲなどの記号・文字読取り技術を利用することを特徴とする請求項１乃至４のいずれかに記載の商品の物流管理方法。
【請求項６】
請求項１乃至５のいずれかに記載の商品の物流管理方法における二次元バーコードを利用するＰＯＳを登録された商品販売先、又は、一般の商品販売先に貸出し、前記ＰＯＳの利用料金に課金することを特徴とする課金方法。
【請求項７】
前記ＰＯＳに二次元バーコード、三次元バーコードを含むバーコードやＯＣＲなどの記号・文字読取り技術を利用することを特徴とする請求項６に記載の課金方法。
【請求項８】
請求項１乃至５のいずれかに記載の商品の物流管理方法を実行可能なプログラムが記録された記憶媒体。
【請求項９】
請求項１乃至５のいずれかに記載の商品の物流管理方法における商品販売元の商品販売支援手段は、商品販売先に設置された商品販売手段から、視力や体型などの測定結果と、ユーザによる商品の使われ方など使用環境とを含む前記ユーザに関するデータをインターネットなどのネットワークを介して受信し、
登録された商品に関するデータベースの中から、前記ユーザに関するデータに基づき、最適な商品を選択し、
予め登録されている商品製造者を含む商品供給者の中から最適な商品供給者を選択し、最適な前記商品に関するデータを、商品販売元の商品販売支援手段から前記ネットワークを介して、選択された前記商品供給者の商品製造手段、又は、端末に送信し、前記商品の供給指示を行う
ことを特徴とする商品販売方法。
【請求項１０】
前記ユーザに関するデータを受信したとき、前記ユーザからの前記商品に関する質問を受付け、前記ユーザに前記質問に対する回答やアドバイスを与えることを特徴とする請求項９に記載の商品販売方法。
【請求項１１】
前記商品の供給指示を行う場合、複数の商品供給者に最適な前記商品に関するデータと見積依頼とを送信し、前記商品供給者から送信された製品価格と納期を含む見積条件に基づき最適な商品供給者を選択して、選択された最適な前記商品供給者に前記商品の供給を指示することを特徴とする請求項９又は１０に記裁の商品販売方法。
【請求項１２】
最適な商品を選択するとき、商品の使用環境、眼鏡の色やデザインなど前記ユーザの嗜好を含む前記ユーザに関するデータと、レンズの特性と眼鏡フレームの特性とを有する前記商品に関するデータベースと、視力などの検眼データと３次元撮像技術を利用した顔面データとを有する前記測定結果とに基づき、前記データベースからレンズと眼鏡フレームとを選択して前記商品である眼鏡に組合わせ、
前記顔面データと、レンズと眼鏡フレームとが組み合わされた前記眼鏡とを合成した前記ユーザの眼鏡着装画像を、前記ネットワークを介して、前記商品販売手段に送信し、前記ユーザに最適な眼鏡の選択に対する確認を促す
ことを特徴とする請求項９乃至１１のいずれかに記載の商品販売方法。
【請求項１３】
前記商品の供給指示を行う場合、前記ユーザにより選択された最適な眼鏡に関するデータに含まれる前記レンズの特性と眼鏡フレームの特性と、前記ユーザの嗜好のデータとに基づき、予め前記ネットワークのサーバーに登録された複数の前記商品供給者の中から最適な商品供給者である眼鏡供給者を選択して、前記眼鏡の供給を指示することを特徴とする請求項９乃至１２のいずれかに記載の商品販売方法。
【請求項１４】
予め登録されたユーザに対して販売された商品が、一般販売網において前記商品を特定できる商品コードが設定されている場合、前記ユーザから、予め登録された他の一般販売網における前記商品の販売時における第１の販売価格より低い第２の販売価格の情報をインターネットなどのネットワークを介して受取ったとき、前記ユーザへの販売価格を前記第１の販売価格から前記第２の販売価格に価格置換して前記ユーザに請求することを特徴とする請求項９乃至１３のいずれかに記載の商品販売方法。
【請求項１５】
販売時の第１の販売価格からユーザ情報による第２の販売価格への価格置換は、予め設定された販売価格以上の（より高い）場合に行うことを特徴とする請求項９乃至１４のいずれかに記載の商品販売方法。
【請求項１６】
販売時の第１の販売価格からユーザ情報による第２の販売価格への価格置換は、前記商品の注文後、予め設定された期間内に行うことを特徴とする請求項９乃至１５のいずれかに記載の商品販売方法。
【請求項１７】
登録されたユーザに対して前記商品の代金決済が終わっている場合、販売時の第１の販売価格とユーザ情報による第２の販売価格との差額を前記ユーザに対して返金処理することを特徴とする請求項９乃至１６のいずれかに記載の商品販売方法。
【請求項１８】
請求項９乃至１６のいずれかに記載の商品販売方法を実行可能なプログラムが記録された記憶媒体。
【発明の詳細な説明】
技術分野
本発明は、商品の物流管理方法に関し、特に、インターネットとＰＯＳを用いた商品の物流管理方法に属するものである。
背景技術
従来、眼鏡やコンタクトレンズの販売店では、各々の店が独自にメーカや業者などから多様の商品を仕入れて、これらを販売している。
しかしながら、従来技術には以下に掲げる問題点があった。
各販売店が、ユーザが必要とする眼鏡やコンタクトレンズに関係する多様の商品を全て在庫する場合は、デッドストックを抱えるケースも多い。また、売れ筋商品のみ在庫する場合は、ユーザからの要望に、即座に対応できない。更に、少量多品種のストックは、コスト増につながるという問題点があった。
本発明は斯かる問題点を鑑みてなされたものであり、その目的とするところは、複数の販売店の登録を行い、二次元バーコード、三次元バーコードを含むバーコードやＯＣＲなど文字・記号読み取り技術を利用したＰＯＳを用い、インターネットを介して各々の販売店での商品在庫情報を監視し、必要な商品をまとめて発注することで効率よく商品のコストダウンを実現する商品の物流管理方法に関する技術を提供する点にある。
発明の開示
請求項１記載の本発明の要旨は、ＰＯＳを利用した商品の物流管理方法であって、卸売りなどを行う商品販売元の商品販売支援手段が、予め登録された商品販売先の在庫管理手段からインターネットなどのネットワークを介して商品の受注を受付ける第１のステップと、前記受注に基づき、前記商品を前記商品販売先に発送する第２のステップとを備え、前記第１のステップは、全ての前記商品を前記ネットワークのサーバーに登録することで、全ての前記商品販売先に対して、前記商品の閲覧を促す第３のステップと、前記商品の閲覧に基づく前記受注を受信する第４のステップとを含み、前記第２のステップは、二次元バーコードを利用するＰＯＳを用いて、前記商品の入出庫管理と在庫管理とを行うステップを含むことを特徴とする商品の物流管理方法に存する。
請求項２記載の本発明の要旨は、前記第１のステップは、前記在庫管理手段が備える前記ＰＯＳによる前記商品販売先における商品在庫の情報を受信する第５のステップと、受信した前記商品在庫の情報に基づき、商品を発送する第６のステップとを含み、該第６のステップは、前記商品毎に、前記商品販売先における前記商品在庫が、予め設定された適量であるかどうかを判断し、前記商品在庫が、適量より少量／以下の場合、該当する商品の発送を自動的に行う第７のステップとを含むことを特徴とする請求項１に記載の商品の物流管理方法に存する。
請求項３記載の本発明の要旨は、前記第７のステップは、前記商品の自動的な発送を、１日、１週間、１ヶ月など所定の期間で行うことを設定するステップを含むことを特徴とする請求項１又は２に記載の商品の物流管理方法に存する。
請求項４記載の本発明の要旨は、前記第５のステップは、全ての前記在庫管理手段からの受信した前記商品在庫の情報と商品販売元における商品在庫とに基づく商品毎の集計と、予め設定された商品毎の標準在庫とを比較し、前記商品の集計が前記標準在庫より少量／以下の場合、商品製造者を含む商品供給者に、該当する商品の発注を行うステップを含むことを特徴とする請求項１乃至３のいずれかに記載の商品の物流管理方法に存する。
請求項５記載の本発明の要旨は、前記ＰＯＳに二次元バーコード、三次元バーコードを含むバーコードやＯＣＲなどの記号・文字読取り技術を利用することを特徴とする請求項１乃至４のいずれかに記載の商品の物流管理方法に存する。
請求項６記載の本発明の要旨は、請求項１乃至５のいずれかに記載の商品の物流管理方法における二次元バーコードを利用するＰＯＳを登録された商品販売先、又は、一般の商品販売先に貸出し、前記ＰＯＳの利用料金に課金することを特徴とする課金方法に存する。
請求項７記載の本発明の要旨は、前記ＰＯＳに二次元バーコード、三次元バーコードを含むバーコードやＯＣＲなどの記号・文字読取り技術を利用することを特徴とする請求項６に記載の課金方法に存する。
請求項８記載の本発明の要旨は、請求項１乃至５のいずれかに記載の商品の物流管理方法を実行可能なプログラムが記録された記憶媒体に存する。
請求項９記載の本発明の要旨は、請求項１乃至５のいずれかに記載の商品の物流管理方法における前記商品販売元の商品販売支援手段は、前記商品販売先に設置された商品販売手段から、視力や体型などの測定結果と、ユーザによる商品の使われ方など使用環境とを含む前記ユーザに関するデータをインターネットなどのネットワークを介して受信し、登録された商品に関するデータベースの中から、前記ユーザに関するデータに基づき、最適な商品を選択し、予め登録されている商品製造者を含む商品供給者の中から最適な商品供給者を選択し、最適な前記商品に関するデータを、商品販売元の商品販売支援手段から前記ネットワークを介して、選択された前記商品供給者の商品製造手段、又は、端末に送信し、前記商品の供給指示を行うことを特徴とする商品販売方法に存する。
請求項１０記載の本発明の要旨は、前記ユーザに関するデータを受信したとき、前記ユーザからの前記商品に関する質問を受付け、前記ユーザに前記質問に対する回答やアドバイスを与えることを特徴とする請求項９に記載の商品販売方法に存する。
請求項１１記載の本発明の要旨は、前記商品の供給指示を行う場合、複数の前記商品供給者に最適な前記商品に関するデータと見積依頼とを送信し、前記商品供給者から送信された製品価格と納期を含む見積条件に基づき最適な商品供給者を選択して、選択された最適な前記商品供給者に前記商品の供給を指示することを特徴とする請求項９又は１０に記載の商品販売方法に存する。
請求項１２記載の本発明の要旨は、最適な商品を選択するとき、前記使用環境、眼鏡の色やデザインなど前記ユーザの嗜好を含む前記ユーザに関するデータと、レンズの特性と眼鏡フレームの特性とを有する前記商品に関するデータベースと、視力などの検眼データと３次元撮像技術を利用した顔面データとを有する前記測定結果とに基づき、前記データベースからレンズと眼鏡フレームとを選択して前記商品である眼鏡に組合わせ、前記顔面データと、レンズと眼鏡フレームとが組み合わされた前記眼鏡とを合成した前記ユーザの眼鏡着装画像を、前記ネットワークを介して、前記商品販売手段に送信し、前記ユーザに最適な眼鏡の選択に対する確認を促すことを特徴とする請求項９乃至１１のいずれかに記載の商品販売方法に存する。
請求項１３記載の本発明の要旨は、前記商品の供給指示を行う場合、前記ユーザにより選択された最適な前記眼鏡に関するデータに含まれる前記レンズの特性と前記眼鏡フレームの特性と、前記ユーザの嗜好のデータとに基づき、予め前記ネットワークのサーバーに登録された複数の前記商品供給者の中から最適な商品供給者である眼鏡供給者を選択して、前記眼鏡の供給を指示することを特徴とする請求項９乃至１２のいずれかに記載の商品販売方法に存する。
請求項１４記載の本発明の要旨は、予め登録されたユーザに対して販売された商品が、一般販売網において前記商品を特定できる商品コードが設定されている場合、前記ユーザから、予め登録された他の一般販売網における前記商品の販売時における第１の販売価格より低い第２の販売価格の情報をインターネットなどのネットワークを介して受取ったとき、前記ユーザへの販売価格を前記第１の販売価格から前記第２の販売価格に価格置換して前記ユーザに請求することを特徴とする請求項９乃至１３のいずれかに記載の商品販売方法に存する。
請求項１５記載の本発明の要旨は、販売時の第１の販売価格からユーザ情報による第２の販売価格への価格置換は、予め設定された販売価格以上の（より高い）場合に行うことを特徴とする請求項９乃至１４のいずれかに記載の商品販売方法に存する。
請求項１６記載の本発明の要旨は、販売時の第１の販売価格からユーザ情報による第２の販売価格への価格置換は、前記商品の注文後、予め設定された期間内に行うことを特徴とする請求項９乃至１５のいずれかに記載の商品販売方法に存する。
請求項１７記載の本発明の要旨は、登録されたユーザに対して前記商品の代金決済が終わっている場合、販売時の第１の販売価格とユーザ情報による第２の販売価格との差額を前記ユーザに対して返金処理することを特徴とする請求項９乃至１６のいずれかに記載の商品販売方法に存する。
請求項１８記載の本発明の要旨は、請求項９乃至１６のいずれかに記載の商品販売方法を実行可能なプログラムが記録された記憶媒体に存する。
発明を実施するための最良の形態
以下、本発明の実施の形態を図面に基づいて詳細に説明する。
（実施の形態１）
第１図は、本実施の形態１に係る商品の物流管理方法を実行するための構成を示す図である。
第１図に示すように、本実施の形態１に係る商品の物流管理方法を実行するための構成は、インターネット１００と、眼鏡販売元（商品販売元）が利用する商品販売支援手段１０と、各々の眼鏡販売店（商品販売先）にて稼働する在庫管理手段３１１、３１２、・・・、３１ｎとで概略構成される。
在庫管理手段３１１、３１２、・・・、３１ｎは、各々二次元バーコード（ＱＲコード）を利用したＰＯＳ１２を備える。各々眼鏡販売店にて商品が販売されたとき、ＰＯＳ１２を用いて在庫管理手段３１１（以下、在庫管理手段３１１を代表として利用する）の商品在庫のデータベースが更新される。
商品販売支援手段１０は、在庫管理手段３１１からインターネット１００などのネットワークを介して、眼鏡販売店からの受注を受信する。受注を受けたとき、又は、所定の時間毎に在庫管理手段３１１から商品在庫に関する情報を受信する。また、リアルタイムに在庫管理手段３１１から商品在庫に関する情報を受信することもできる。
また、商品販売支援手段１０はＰＯＳ１２を備え、このＰＯＳ１２を利用して、眼鏡販売店での在庫情報と眼鏡販売元の在庫とに基づき、商品在庫管理を行う。
次に、商品の物流管理方法の動作を説明する。
第２図は、本実施の形態に係る商品の物流管理方法における流れの一例を示すフローチャートである。
商品販売支援手段１０は、眼鏡販売店から受注を受けたとき、又は、所定の期間毎に在庫管理手段３１１から商品在庫に関する情報を受信する（ステップＳ１）。
眼鏡販売店毎、商品毎に、商品在庫が適量であるかどうかの判断する（ステップＳ２）。
ステップＳ２において、商品在庫が、予め設定された在庫量より少量／以下（図中、Ｎｏ）の場合、眼鏡販売店に対して、該当する商品の発送を自動的に行う（ステップＳ１１）この商品の発送は、１日、１週間、１ヶ月など所定の期間を設定できる。
ステップＳ２において、商品在庫が、適量以上／より多量（図中、Ｙｅｓ）の場合、次のステップに進む。
全ての眼鏡販売店における商品在庫の情報を集計し、商品毎の集計と、予め設定された商品毎の標準在庫とを比較し、集計された商品在庫が適量かどうか判断する（ステップＳ３）。
ステップＳ３において、集計された商品在庫が、予め設定された標準在庫より少量／以下（図中、Ｎｏ）の場合、商品製造者など商品供給者に、該当する商品の発注を行い（ステップＳ１２）、終了する。
ステップＳ３において、集計された商品在庫が、予め設定された標準在庫以上／より多量（図中、Ｙｅｓ）の場合、終了する。
なお、対象とする商品は、眼鏡やコンタクトレンズに限定されず、在庫管理が可能な商品に適用できる。
実施の形態１に係る商品の物流管理方法は上記の如く構成されているので、以下に掲げる効果を奏する。
二次元バーコードを利用したＰＯＳ１２を各々複数の販売店の在庫管理に用いることで、多くの販売店毎に、多品種の商品を管理できる。また、インターネット１００を介して各々の販売店での商品在庫情報を監視することで、各々の販売店における在庫切れを防ぐことができる。
また、必要な商品をまとめて発注することで効率よく商品のコストダウンを実現することができる。
（実施の形態２）
第３図は、本実施の形態２に係る商品の物流管理方法を実行するための構成を示す図である。
第３図に示すように、本実施の形態に係る商品の物流管理方法を実行するための構成は、インターネット１００と、眼鏡販売元（商品販売元）が管理する商品販売支援手段１０と、各々の眼鏡製造者（商品製造者、商品供給者）が管理する商品製造手段（眼鏡製造手段、端末）２０１、２０２、・・・、２０ｎと、各々の眼鏡販売店（商品販売先）が管理する商品販売手段（眼鏡販売手段）３０１、３０２、・・・、３０ｎとで概略構成される。
商品販売支援手段１０は、眼鏡販売手段３０１（以下、眼鏡販売手段３０１を代表して表記する）から、ユーザ９０の視力などの検眼データや３次元撮像技術を利用した顔面データを含む測定結果、眼鏡の使われ方など使用環境などユーザ９０に関するデータを、インターネット１００を介して受信する。
また、ユーザ９０に関するデータに基づき、ユーザに最適な眼鏡（商品）に関するデータを選択し、インターネット１００を介して眼鏡製造手段２０１（以下、眼鏡製造手段２０１を代表して表記する）に送信し、眼鏡の製造を指示する。また、眼鏡の納入先の指示も行うことができる。
第４図は、第３図の眼鏡販売手段３０１の構成を示す図である。
眼鏡販売手段３０１は、ユーザ９０に対する検眼手段３１０と、３次元撮像手段３２０と、使用環境などの質問をする対話型の対話手段３３０とを備える。
対話手段３３０が有するデータベースに保管される設問内容は、追加・更新することができる。例えば、設問に対応する選択肢の他に、ユーザ９０からの質問などの入力を受付け、この質問に対する回答やアドバイスをユーザ９０に与える。これらの質問、回答、アドバイスを設問内容への追加・更新に利用する。
眼鏡販売手段３０１は、検眼手段３１０によるユーザ９０の視力などの検眼データと３次元撮像手段３２０による顔面データと対話手段３３０による眼鏡の使われ方など使用環境を含むユーザ９０に関するデータを、インターネット１００を介して商品販売支援手段１０に送信する。
第５図は、第３図の商品販売支援手段１０の構成を示す図である。
商品販売支援手段１０は、記憶手段２０と最適選択手段３０と設問回答補助手段４０と製造指示手段（供給指示手段）５０とを備える。
記憶手段２０は、眼鏡のレンズや眼鏡フレームに関するデータベース、第４図における対話手段３３０が保管する設問内容に関するデータベースを記憶する。
最適選択手段３０は、記憶手段２０に登録された眼鏡に関するデータベースの中から、受信したユーザ９０に関するデータに含まれる顔面データと、眼鏡の色やデザインを含むユーザ９０の嗜好などに基づき、最適眼鏡の候補を選択する。
また、顔面データと、選択された眼鏡とを合成し、眼鏡着装画像を表示して、ユーザ９０に最適な眼鏡の選択を促す。
選択する方法は、視力などの検眼データを有する測定結果、眼鏡の使われ方など使用環境、レンズの特性、眼鏡フレームの特性などに基づき、軽量プラスチックや硬質厚型ガラスなど材質、比重、厚みなどのレンズの条件や、軽量、耐酸性など材質、比重などの眼鏡フレームの条件などで絞込みを行う。
設問回答補助手段４０は、対話手段３３０に入力されたユーザ９０からの質問を含むユーザ９０に関するデータを受信した場合、記憶手段２０に記憶される対話手段３３０が保管する設問内容に関するデータベースの追加・更新に利用される。また、設問回答補助手段４０を操作する技術者が即答できる場合は、リアルタイムで回答やアドバイスを対話手段３３０に送信し、ユーザ９０に通知する。
製造指示手段５０は、最適な眼鏡に関するデータを、商品販売支援手段１０からインターネット１００を介して眼鏡製造手段２０１（以下、眼鏡製造手段の代表として記載する）に送信し、眼鏡の製造を指示する。
また、ユーザ９０により選択された最適な眼鏡に関するデータに含まれるレンズの特性と眼鏡フレームの特性と、色や材質、デザインなどユーザ９０の嗜好とに基づき、予めインターネット１００のサーバーに登録された眼鏡製造手段２０１、２０２、・・・２０ｎを管理する眼鏡製造者の中から最適な眼鏡製造者を選択して、眼鏡の製造を指示する。
更に、予め登録された複数の眼鏡製造者に最適な眼鏡に関するデータと見積依頼とを送信し、眼鏡製造者から送信された製品価格と納期を含む見積条件に基づき最適な眼鏡製造者を選択して、選択された最適な眼鏡製造者に眼鏡の製造を指示することもできる。
また、眼鏡製造者に対して、製造された眼鏡を所定の場所、又は、所定の人物になど所定の届け先に納品する指示も行うこともできる。
次に、第３図の商品販売支援手段１０における他の利用例を説明する。
第６図は、第３図の商品販売支援手段１０における動作の一例を示すフローチャートである。
予め登録されたユーザ９０に対して販売された商品が、一般販売網において商品を特定できる商品コードが設定されている場合、ユーザ９０から、商品の注文時における第１の販売価格より低い、予め登録された他の一般販売網における第２の販売価格の情報を受取ったとき、ユーザ９０への販売価格を第１の販売価格から第２の販売価格に価格置換する。
商品販売支援手段１０は、商品を購入したユーザ９０からインターネット１００などのネットワークを介して他販売店の該当する商品の商品コードと販売価格に関する情報を受信する（ステップＳ２１）。
情報の送信者が予め登録されたユーザ９０かどうか判断する（ステップＳ２２）。
ステップＳ２２において、登録されたユーザ９０（図中、Ｙｅｓ）の場合、受信した商品コード、他販売店は登録されているかどうか判断する（ステップＳ２３）。
ステップＳ２３において、商品コード、他販売店が登録されている（図中、Ｙｅｓの）場合、ユーザ９０への販売価格（第１の販売価格）より他販売店の販売価格（第２の販売価格）が低いかどうか判断する（ステップＳ２４）。
ステップＳ２４において、他販売店の販売価格が低い（図中、Ｙｅｓの）場合、該当するユーザ９０への販売価格を他販売店の販売価格に置換える価格調整を行う（ステップＳ２５）。
ステップＳ２４において、他販売店の販売価格が低くない（図中、Ｎｏの）場合、処理を終了する。
ステップＳ２３において、受信した商品コード、又は、他販売店が登録されていない（図中、Ｎｏの）場合、処理を終了する。
ステップＳ２２において、ユーザ９０が登録されていない（図中、Ｎｏの）場合、処理を終了する。
また、第１の販売価格から第２の販売価格への価格置換は、予め設定された販売価格以上の（より高い）場合に行う。
置換えられた販売価格に従いユーザ９０への代金請求を行う。
更に、第１の販売価格から第２の販売価格への価格置換は、商品の注文後、予め設定された期間内に行う。
ユーザ９０に対して商品の代金決済が終わっている場合、第１の販売価格と第２の販売価格との差額をユーザ９０に対して値引き処理することもできる。
予め登録されたユーザ９０に対して販売された商品が、一般販売網において商品を特定できる商品コードが設定されている場合、ユーザ９０から、商品の注文時における第１の販売価格より低い、予め登録された他の一般販売網における第２の販売価格の情報をインターネット１００などのネットワークを介して受取ったとき、ユーザ９０への販売価格を第１の販売価格から第２の販売価格に価格置換する。
また、第１の販売価格から第２の販売価格への価格置換は、予め設定された販売価格以上の（より高い）場合に行う。
更に、第１の販売価格から第２の販売価格への価格置換は、商品の注文後、予め設定された期間内に行う。
ユーザ９０に対して商品の代金決済が終わっている場合、第１の販売価格と第２の販売価格との差額をユーザ９０に対して値引き処理することもできる。
実施の形態２に係る商品の物流管理方法は上記の如く構成されているので、実施の形態１が奏する効果の他に以下に掲げる効果を奏する。
ユーザ９０の視力などの検眼データと顔面データと眼鏡の使われ方など使用環境を含むユーザ９０に関するデータを受信したとき、ユーザ９０からの質問への回答やアドバイスを与えることで、ユーザ９０が納得する最適な眼鏡の選択ができる。
予め登録されている眼鏡製造者の中から最適な眼鏡製造者を選択して、インターネット１００を介して選択された眼鏡に関するデータを送信し、眼鏡の製造を指示（依頼）することで、実績を考慮して最も適切な眼鏡製造者に眼鏡の製造を依頼できる。また、製造するためのスペースを省略できる。
また、見積依頼を行うことで、納期、コストに関して最適な眼鏡をユーザ９０に提供できる。
なお、本実施の形態に係る商品の物流管理方法における商品販売手段３０１が対象とする商品は、眼鏡に限定されず、服、帽子、靴や指輪などを含む装飾品にも適用できる。商品販売手段３０１が設置される販売場所には専門家や技術者の常駐は不要で、コンビニエンスストアの店舗なども対象となる。
また、本実施の形態において利用される二次元バーコードは、ＱＲコード、ベリコード、三次元コードを含むバーコードやＯＣＲなどの記号・文字読み取り技術に応用できることは明白である。
また、本実施の形態においては、本発明はそれに限定されず、本発明を適用する上で好適な、商品の物流管理方法に関する技術に適用することができる。
また、上記構成部材の数、位置、形状等は上記実施の形態に限定されず、本発明を実施する上で好適な数、位置、形状等にすることができる。なお、各図において、同一構成要素には同一符号を付している。
産業上の利用可能性
本発明は以上のように構成されているので、以下に掲げる効果を奏する。
二次元バーコードを含むバーコード技術を利用したＰＯＳを各々複数の販売店で用いることにより、在庫商品についてきめ細かい管理を行うことができる。また、インターネットを介して各々の販売店での商品在庫情報を監視することで、各々の販売店における在庫切れを防ぐことができる。
また、必要な商品をまとめて発注することで効率よく商品のコストダウンを実現することができる。
ユーザの視力などの検眼データと顔面データと眼鏡の使われ方など使用環境を含むユーザに関するデータを受信したとき、ユーザからの質問への回答やアドバイスを与えることで、ユーザが納得する最適な眼鏡の選択ができる。
また、インターネットを利用することで、複数の眼鏡製造者を含む眼鏡供給者の中から技術、コスト、納期などを考慮して最適な眼鏡供給者を選択できる。
予め登録された他の販売店において該当する商品が安値で販売されているのをユーザが確認したとき、既に購入した商品の販売価格について価格訂正の要求を受け、販売価格の調整をすることでユーザ離れを防ぐことができる。
予め設定された販売価格以上の（より高い）場合に値引き調整を行うので、販売価格の安値販売に歯止めをかけることができる。
価格調整を商品の注文後、予め設定された期間内に行うことで価格調整の受入期間に関して歯止めをかけることができる。
商品の代金決済が終わっている場合でも、第１の販売価格と第２の販売価格との差額をユーザに対して返金することで価格調整を行うことができる。
【図面の簡単な説明】
第１図は、本発明の実施の形態１に係る商品の物流管理方法を実行するための構成を示す図である。
第２図は、本発明の実施の形態１に係る商品の物流管理方法における流れの一例を示すフローチャートである。
第３図は、本発明の実施の形態２に係る商品の物流管理方法を実行するための構成を示す図である。
第４図は、第３図の眼鏡販売手段の構成を示す図である。
第５図は、第３図の商品販売支援手段の構成を示す図である。
第６図は、第３図の商品販売支援手段における動作の一例を示すフローチャートである。
【図１】
2002039333.tif 000003
【図２】
2002039333.tif 000004
【図３】
2002039333.tif 000005
【図４】
2002039333.tif 000006
【図５】
2002039333.tif 000007
【図６】
2002039333.tif 000008
【国際調査報告】
2002039333.tif 000009
2002039333.tif 000010
2002039333.tif 000011